(57)【要約】行き先入力装置（３０、３５）が群式エレベータ装置（１０）において割付けされる。行き先入力装置（３０、３５）が配送制御装置（２０）に接続される。行き先入力装置（３０、３５）の設置位置に対応するネットワークアドレスが行き先入力装置（３０、３５）に入力される。ネットワークアドレスが入力されたならば、行き先入力装置の設置位置に関する設置位置情報が行き先入力装置（３０、３５）にダウンロードされ、確認される。
2009515797.tif 000002
【特許請求の範囲】
【請求項１】
群式エレベータ装置において行き先入力装置を割付けする方法であって、
行き先入力装置を配送制御装置に接続し、
行き先入力装置に、行き先入力装置の設置位置に対応するネットワークアドレスを入力し、
入力されたネットワークアドレスに基づいて配送制御装置から行き先入力装置にダウンロードされた、設置位置に関する設置位置情報を確認する、
ことを含むことを特徴とする方法。
【請求項２】
行き先入力装置の全てのキーの機能を確認することをさらに含むことを特徴とする請求項１記載の方法。
【請求項３】
全てのキーの機能を確認することは、
行き先入力装置の各々のキーを押し、
キーが押されたことに応答する、行き先入力装置上の視覚的出力を確認する、
ことを含むことを特徴とする請求項２記載の方法。
【請求項４】
設置位置に関する設置位置情報を確認することは、階の位置およびエレベータの相対位置の情報が行き先入力装置の設置位置に対応することを確認することを含むことを特徴とする請求項１記載の方法。
【請求項５】
階の位置およびエレベータの相対位置の情報が行き先入力装置のディスプレイ上に提供されることを特徴とする請求項１記載の方法。
【請求項６】
エレベータの相対位置の情報は、行き先入力装置から群式エレベータ装置の各々のエレベータまでの距離および方向を含むことを特徴とする請求項５記載の方法。
【請求項７】
行き先入力装置を有効にするために設置位置情報を受け取ることをさらに含むことを特徴とする請求項１記載の方法。
【請求項８】
行き先入力装置がキーパッドを含むことを特徴とする請求項１記載の方法。
【請求項９】
行き先入力装置がタッチスクリーンを含むことを特徴とする請求項１記載の方法。
【請求項１０】
群式エレベータ装置において行き先入力装置を割付けするための方法であって、
行き先入力装置を設置位置に設置し、
行き先入力装置を配送制御装置に接続し、
行き先入力装置の全てのキーの機能を確認し、
配送制御装置に記憶された、行き先入力装置の設置位置に特有のネットワークアドレスを入力し、
入力されたネットワークアドレスに基づいて配送制御装置から行き先入力装置にダウンロードされた、設置位置に関する設置位置情報を確認する、
ことを含むことを特徴とする方法。
【請求項１１】
設置位置に関する設置位置情報を確認することは、階の位置およびエレベータの相対位置の情報が行き先入力装置の設置位置に対応することを確認することを含むことを特徴とする請求項１０記載の方法。
【請求項１２】
階の位置およびエレベータの相対位置の情報が行き先入力装置のディスプレイ上に提供されることを特徴とする請求項１１記載の方法。
【請求項１３】
エレベータの相対位置の情報は、行き先入力装置から群式エレベータ装置の各々のエレベータまでの距離および方向を含むことを特徴とする請求項１２記載の方法。
【請求項１４】
全てのキーの機能を確認することは、
行き先入力装置上の各々のキーを押し、
各々のキーが押されたことに応答する、行き先入力装置上の視覚的出力を確認する、
ことを含むことを特徴とする請求項１０記載の方法。
【請求項１５】
行き先入力装置を有効にするために設置位置情報を受け取ることをさらに含むことを特徴とする請求項１０記載の方法。
【請求項１６】
行き先入力装置がキーパッドを含むことを特徴とする請求項１０記載の方法。
【請求項１７】
行き先入力装置がタッチスクリーンを含むことを特徴とする請求項１０記載の方法。
【発明の詳細な説明】
【技術分野】
【０００１】
本発明はエレベータ制御の分野に関し、特に行き先入力付き群式エレベータ装置におけるエレベータ乗場備品の設置およびネットワーク登録に関する。
【背景技術】
【０００２】
従来の群式エレベータ装置は、各階のエレベータの近傍に乗場呼びモジュールを含む。通常、乗場呼びモジュールは、乗客がエレベータの運行を望むときに押す、上りおよび下りボタンを含む。各々の乗場呼びモジュールにはネットワークアドレスが割り当てられており、エレベータ制御装置は乗場呼びモジュールをその階の位置と関連づけるためにこのアドレスを用いる。乗場呼びモジュールのボタンのうち１つが押されたときは、エレベータ制御装置は最も効率的に乗客をその所望の方向に運ぶエレベータを割り当てる。エレベータ制御装置は、そのボタンが押された乗場呼びモジュールのネットワークアドレスに基づいて、エレベータを送るべき階を判断する。
【０００３】
乗場呼びモジュールが設置のために建物に搬入されたならば、それを設置すべき階と関連するネットワークアドレスを、モジュールに設定する必要がある。ある階の全ての乗場呼びモジュールには同じネットワークアドレスが設定される。なぜならば、その階の乗場呼びモジュールのうちいずれのモジュールのボタンが押されても、エレベータがその階に配送されるからである。その後、乗場呼びモジュールは正常な機能について試験されるが、これは単に各々の乗場呼びモジュールのボタンを押し、押されたボタンに従ってエレベータが配送されることを確認すればよい。
【０００４】
最近、行き先入力付きエレベータ装置が導入されている。行き先入力装置においては、乗客は運行を受ける前にその行き先階を登録することが要請される。群式エレベータ装置は各々の乗客に、乗客を最も効率的にその所望の行き先階に運ぶようなエレベータを割り当てる。乗客はその行き先階を、エレベータの近傍に設置された、数字キーパッドまたはタッチスクリーンディスプレイの形式の行き先入力装置に登録する。
【０００５】
行き先入力装置はしばしば視聴覚性能を含み、これによって例えば、行き先入力装置に入れられた入力に基づいて割り当てられたエレベータに乗客を誘導する。乗客に与えられる方向の出力は、割り当てられたエレベータに対する行き先入力装置の位置に依存する。従って、建物内の各々の行き先入力装置（同じ階にあるものを含めて）には固有のネットワークアドレスが割り当てられ、エレベータ制御装置は、行き先を登録するのに用いられた行き先入力装置のネットワークアドレスに基づいて、適切な方向および距離の出力を判断することができる。
【発明の開示】
【発明が解決しようとする課題】
【０００６】
現在は各々の行き先入力装置に、設置に先立って固有のネットワークアドレスが設定されている。その後、各々の行き先入力装置は正常な機能を確認するために試験されなければならない。行き先入力装置においては各々の装置が、正しいソフトウェアがインストールされていること、および全てのキーが正しく作動することを確認するために試験されなければならない。これに加えて、装置への様々な行き先入力がそれぞれディスプレイ上に正確な方向および距離出力として表示されること、および、各々のエレベータが行き先入力装置に登録された行き先に従って配送されることが確認されなければならない。これは、特に数多くの行き先入力装置を有する大きな建物においては、面倒で時間のかかる割付け方法である。
【課題を解決するための手段】
【０００７】
主題の発明は、群式エレベータ装置における行き先入力装置の割付けに関する。行き先入力装置が配送制御装置に接続される。行き先入力装置の設置位置に対応するネットワークアドレスが、行き先入力装置に入力される。ネットワークアドレスが入力されたならば、行き先入力装置の設置位置に関する設置位置情報が行き先入力装置にダウンロードされ、かつ確認される。
【発明を実施するための最良の形態】
【０００８】
図１は建物１２内の、行き先入力に基づくエレベータ装置１０の斜視図である。建物１２は５つの階を含み、そのなかにはロビー階Ｌ、２階Ｆ２、３階Ｆ３、４階Ｆ４、および５階Ｆ５が含まれる。群式エレベータ装置１０は３つのエレベータ１４ａ、１４ｂ、１４ｃを含む。これらの各々は建物１２内の任意の数の階に乗客を輸送可能である。３つのエレベータ１４ａ〜１４ｃ、および５つの階Ｌ、Ｆ２〜Ｆ５が示されているが、本発明が任意の階に運行する任意の数のエレベータを有する、行き先入力付き群式エレベータ装置に適用可能であることは自明であろう。
【０００９】
各々のエレベータの運転は専用のかご制御装置によって制御される。具体的には、エレベータ１４ａがかご制御装置１６ａによって制御され、エレベータ１４ｂがかご制御装置１６ｂによって制御され、エレベータ１４ｃがかご制御装置１６ｃによって制御される。かご制御装置１６ａ〜１６ｃは通信ループ１８を介して互いに接続され、かつ互いに通信する。
【００１０】
かご制御装置１６ａ〜１６ｃは、配送制御装置２０から受け取ったエレベータ制御情報に基づいて、エレベータ１４ａ〜１４ｃをそれぞれ制御する。配送制御装置２０は通信ループ１８を介してかご制御装置１６ａ〜１６ｃに接続されている。配送制御装置２０は通信配線（図示せず）を介して受け取った行き先入力情報を処理し、行き先入力情報に基づくエレベータ制御情報を提供する。
【００１１】
行き先入力情報は、乗客によって、各階に配置された行き先入力装置を介して提供される。行き先入力装置は各階のエレベータに隣接して配置され、乗客が入力装置上の数字キーを介してその所望の行き先を入力するのに用いられる。行き先入力装置はまた建物の特定の区域のラベルを付したキーを含んでもよく、この場合は乗客がラベルを付したキーを押せば直接にキーの示す領域に輸送される。群式エレベータ装置１０において、行き先入力装置はキーパッド３０ａ、３０ｂ、３０ｃ、３０ｄ、３０ｅ、およびタッチスクリーンディスプレイ３５ａ、３５ｂ、３５ｃ、３５ｄ、３５ｅを含み、さらにキーパッド３０ａ〜３０ｅからの入力を受け入れ、タッチスクリーンディスプレイ３５ａ〜３５ｅに情報を表示し、かつ配送制御装置２０と通信するような、デジタル回路を含む。キーパッド３０は、図２を参照しつつ後により詳しく説明され、タッチスクリーンディスプレイ３５は、図３を参照しつつ後により詳しく説明される。各々のキーパッド３０およびタッチスクリーンディスプレイ３５に関連するデジタル回路は、データ配線（図示せず）を介して配送制御装置２０に接続される。キーパッド３０およびタッチスクリーンディスプレイ３５を設置および設定するための、本発明による割付け方法は後に図４を参照しつつ説明される。キーパッド３０およびタッチスクリーンディスプレイ３５の任意の組み合わせが建物１２全体で用いられてよいことは自明であろう。
【００１２】
エレベータ１４ａ〜１４ｃの運行予定は、キーパッド３０およびタッチスクリーンディスプレイ３５に与えられた行き先入力情報に基づいて、配送制御装置２０によって調整される。エレベータ１４ａ〜１４ｃは独立であるが、共通の乗客集団に対して運行されることにおいて結合されている。各々の乗客について、１つのエレベータ１４のみがその乗客に対して運行される。各々の乗客がその行き先階をキーパッド３０またはタッチスクリーンディスプレイ３５のうちの１つに入力すると、乗客は最も効率的にその行き先請求に対応するエレベータに案内される。乗客をエレベータに割り当てるときは、配送制御装置２０がかご制御装置１６ａ〜１６と通信してエレベータ１４ａ〜１４ｃの位置を判断する。乗客が割り当てられたエレベータに乗り込んだならば、かご制御装置がエレベータを、割り当てられたかごの乗客が請求した階にのみ停止するように制御する。このように乗客を群としてあつかうことによって、乗客は従来のエレベータ装置におけるよりも少ない停止回数をもってその目的階に効率的に到着する。
【００１３】
図２は、図１に示される行き先入力付き群式エレベータ装置１０に用いられるキーパッド３０の斜視図である。キーパッド３０は、ディスプレイ４０、数字キー４２、アクセスキー４４、および電気音響変換器またはスピーカ４６を含む。１つの実施例では、ディスプレイ４０は液晶ディスプレイ（ＬＣＤ）または発光ダイオード（ＬＥＤ）型のディスプレイである。
【００１４】
群式エレベータ装置１０において乗客が階から階へ運んで欲しいときは、乗客は数字キー４２を用いてその所望の行き先階を入力する。例えば、乗客がロビー階Ｌから階Ｆ４へ運んで欲しいならば、乗客はロビー階Ｌに配置されたキーパッド３０の数字キー４２の「４」キーを押す。その結果、この行き先入力情報が配送制御装置２０に提供される。エレベータ１４ａ〜１４ｃのかごの位置（かご制御装置１６ａ〜１６ｃから提供される）に基づいて、配送制御装置２０は乗客が行き先入力情報を入力するのに用いたキーパッド３０に信号を送る。この信号は乗客へのエレベータ割り当てを含む。その結果、キーパッド３０は、ディスプレイ４０を用いて乗客を適切なエレベータに案内する。例えば、乗客が行き先入力情報を入力するのにエレベータ１４ｃに最も近いキーパッド３０を用い、かつ乗客が配送制御装置２０によってエレベータ１４ａに割り当てられたならば、ディスプレイ４０に文字「Ａ」が現れる。割り当てられたエレベータの方向に乗客を案内するために、矢印またはその他の方向標識がディスプレイ４０に表示されてもよい。
【００１５】
図３は、図１に示される行き先入力付き群式エレベータ装置１０に用いられる、タッチスクリーンディスプレイ３５の斜視図である。タッチスクリーンディスプレイ３５は、乗客が群式エレベータ装置１０を作動させるために用いる、各種の対話キーを表示するためのスクリーン５０を含む。スクリーン５０によって提供される情報は、それを備える建物に対して特化可能である。示された実施例では、スクリーン５０はアクティブディスプレイ５２、および数字キー５６を含む。
【００１６】
群式エレベータ装置１０において乗客が階から階へ運んで欲しいときは、乗客は数字キー５６を用いてその所望の行き先階を入力する。例えば、乗客がロビー階Ｌから階Ｆ４へ運んで欲しいならば、乗客はロビー階Ｌに配置されたタッチスクリーン３５の数字キー５６の「４」キーを押す。その結果、この行き先入力情報が配送制御装置２０に提供される。エレベータ１４ａ〜１４ｃのかごの位置（かご制御装置１６ａ〜１６ｃから提供される）に基づいて、配送制御装置２０はタッチスクリーン３５に信号を送る。この信号は乗客へのエレベータ割り当てを含む。その結果、タッチスクリーン３５は、アクティブディスプレイ５２を用いて乗客を適切なエレベータに案内する。例えば、乗客が配送制御装置２０によってエレベータ１４ａに割り当てられたならば、アクティブディスプレイ５２に文字「Ａ」が現れる。割り当てられたエレベータの方向に乗客を案内するために、矢印またはその他の方向標識がアクティブディスプレイ５２に表示されてもよい。
【００１７】
行き先入力装置（すなわちキーパッド３０ａ〜３０ｅ、タッチスクリーン３５ａ〜３５ｅ）が設置のために建物１２（図１）に搬入された時点では、これらはなんらの特定の階Ｌ〜Ｆ５、またはその階のなんらの特定の位置で使用されるように設定されてはいない。しかし、各々の行き先入力装置がその設置位置で使用されるように設定されることは重要である。なぜならば乗客に提供される方向および距離の出力は、割り当てられたエレベータに対する行き先入力装置の位置に依存するからである。これを達成するために、建物内の各々の行き先入力装置（同じ階に設置されるものを含む）に固有のネットワークアドレスが割り当てられる。行き先を登録するのに用いられる行き先入力装置のネットワークアドレスに基づいて、エレベータ制御装置は行き先入力装置に提供するべき適切な方向および距離の出力を判断することができる。従来はこの割付け装置が２段階処理である。すなわち各々の行き先入力装置が配送制御装置２０に接続され、その後に各々の行き先入力装置が設定され、正常な機能について試験される。これは特に多数の行き先入力装置を有する大きな建物においては、面倒で時間のかかる割付け方法である。
【００１８】
図４は本発明による行き先入力装置の割付け方法の流れ図であり、この場合、行き先入力装置が単一の設置処理において接続、設定、および試験される。行き先入力装置がその設置位置に搬入されたならば、これは例えば上述のデータ配線を介して配送制御装置２０に接続される（ステップ６０）。行き先入力装置が配送制御装置２０に接続されたならば、通常は装置のキー（すなわちキーパッド３０の数字キー４２またはタッチスクリーンディスプレイ３５の数字キー５６）を用いてパスワードが入力され、割付け方法が開始される。
【００１９】
パスワードが入力されたならば、行き先入力装置上のキーが正常な機能について試験される（ステップ６２）。１つの実施例では、これは行き先入力装置のディスプレイ（すなわちキーパッド３０のディスプレイ４０、またはタッチスクリーンディスプレイ３５のディスプレイ５２）上の視覚的指示メッセージに応じてキーを押すことによって行われる。例えばディスプレイがキーパッド上の各々のキーを押して機能を確認させるようなキーの図形表現および指示を表示してもよい。次いでディスプレイは押されたキーが正常に機能していることの視覚的表示（例えば押されたキーの図形表現の隣にチェックマーク）を与える。もしいずれかのキーが正常に機能していないならば、行き先入力装置は修理または交換の上、配送制御装置２０に再接続される（ステップ６０）。
【００２０】
全てのキーが正常に機能するならば、行き先入力装置のディスプレイはこの行き先入力装置を、全ての行き先入力装置（すなわちキーパッド３０ａ〜３０ｅ、タッチスクリーンディスプレイ３５ａ〜３５ｅ）および配送制御装置２０を含む群式エレベータ装置１０のネットワークに接続するように、設置作業者に指示メッセージを出す。これは通常は数字キーを用いてネットワークアドレスを行き先入力装置に入力することによって行われる（ステップ６４）。入力されたネットワークアドレスは配送制御装置２０に記憶されたアドレスに対応しなければならないが、設置作業者はこれを、建物１２内の位置に基づく各々の入力装置のネットワークアドレスを含む、設置予定表から入手することができる。例えば、キーパッド３０ｃが設置されようとしているならば、この位置（すなわち階Ｆ３のエレベータ１４ｂと１４ｃとの間）に相当する行き先入力装置に対する、設置予定表のネットワークアドレスが、この方法でキーパッド３０ｃに入力される。配送制御装置２０はこのネットワークアドレスを用いて、行き先入力情報の基点を判断し、行き先入力装置の位置に基づく適切な方向および距離の出力を提供する。ネットワークアドレスが行き先入力装置に入力されたならば、行き先入力装置の位置に関する設置位置情報が、配送制御装置２０からダウンロードされる（ステップ６６）。
【００２１】
設置位置情報がダウンロードされたならば、設置位置情報はディスプレイ上で再検討され、それが行き先入力装置の設置位置と対応することが確認される（ステップ６８）。設置位置情報は図形的に表示されてもよく、また設置された階、行き先入力装置から各々のエレベータ１４ａ〜１４ｃまでの距離および方向、およびエレベータ１４ａ〜１４ｃに対する行き先入力装置の位置を示す地図、などの情報を含んでもよい。例えば、タッチスクリーンディスプレイ３５ｂについての設置位置情報の表示は、それが階Ｆ２のエレベータ１４ａと１４ｂとの間にあって、エレベータ１４ｃからはより遠いことを示さなければならない。もし設置位置情報が行き先入力装置の設置位置と対応しないならば、ネットワークアドレスが不正確に入力されたのであるから再入力が必要である（ステップ６４）。
【００２２】
設置位置情報が設置位置と対応するならば、設置位置情報は受理され（ステップ７０）、行き先入力装置の割付けが完了する。これで行き先入力装置はネットワークに接続され、その結果、エレベータ１４ａ〜１４ｃがそれぞれの行き先入力に応答して正常に配送されることを確認するための試験を行うことができる。
【００２３】
まとめれば、主題の発明は群式エレベータ装置における行き先入力装置の割付けに関するものである。行き先入力装置が配送制御装置に接続される。行き先入力装置が配送制御装置に接続される。行き先入力装置の設置位置に対応するネットワークアドレスが、行き先入力装置に入力される。ネットワークアドレスが入力されたならば、行き先入力装置の設置位置に関する設置位置情報が行き先入力装置にダウンロードされ、確認される。このようにして、群式エレベータ装置における各々の行き先入力装置が１つの割付け処理で接続、設定、および機能試験される。これは、割付け方法を完了するために各々の行き先入力装置に何回も足を運ぶ必要がある、従来の行き先入力装置の割付けに対する改良である。
【００２４】
本発明を実施例および好ましい実施例を参照しつつ説明したが、当業者は本発明の主旨および範囲から逸脱することなく、形態および細部における変更がなされ得ることを認識するであろう。
【図面の簡単な説明】
【００２５】
【図１】行き先入力付き群式エレベータ装置の斜視図。
【図２】図１に示される行き先入力付き群式エレベータ装置に用いられるキーパッドの斜視図。
【図３】図１に示される行き先入力付き群式エレベータ装置に用いられるタッチスクリーンディスプレイの斜視図。
【図４】本発明による行き先入力装置の割付け方法の流れ図。
【図１】
2009515797.tif 000003
【図２】
2009515797.tif 000004
【図３】
2009515797.tif 000005
【図４】
2009515797.tif 000006